(57)【要約】  本願の実施例は、アクセスリンクの管理方法、デバイス、記憶媒体及びシステムを提供し、当該方法は、第１のアクセスデバイスにより提供される第１のアクセスリンクから第２のアクセスデバイスにより提供される第２のアクセスリンクに切り替えた後、第１のアクセスリンクのパス及び／又は第１のアクセスリンクのコンテキスト情報を保持することと、前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することとを含み、ここで、前記ネットワークデバイスにも前記第１のアクセスリンクのパス及び／又は前記第１のアクセスリンクのコンテキスト情報が保持されている。そして、第１のアクセスデバイスが端末デバイスに新たにアクセスリソースを割り当てる必要がなく、アクセスリンク切り戻しの時間遅延が低減される。
2021501488.tif 000002
【特許請求の範囲】
【請求項１】
端末デバイスに応用されるアクセスリンクの管理方法であって、
第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することと、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することとを含み、
前記ネットワークデバイスにも前記第１のアクセスリンクのパス及び／又は前記第１のアクセスリンクのコンテキスト情報が保持されている
ことを特徴とするアクセスリンクの管理方法。
【請求項２】
前記第１のアクセスリンクのパスは、前記端末デバイスと前記第１のアクセスデバイスとの無線リソース制御ＲＲＣパス、非アクセス層ＮＡＳパス、パケットデータネットワークＰＤＮパス、プロトコルデータユニットＰＤＵセッションパス、及び前記端末デバイスとサービスアクセス管理ノードとの接続を含み、
前記第１のアクセスリンクのコンテキスト情報は、
前記端末デバイスのアクセス層コンテキスト情報、前記端末デバイスの非アクセス層コンテキスト情報、前記第１のアクセスデバイスと前記コアネットワークとの前記端末デバイスに関連する接続情報、及び前記端末デバイスとサービスアクセス管理ノードとの接続のコンテキスト構成情報のうちの少なくとも１つを含む
ことを特徴とする請求項１に記載のアクセスリンクの管理方法。
【請求項３】
前記端末デバイスのアクセス層コンテキスト情報は、前記端末のアクセス層のセキュリティ構成情報、前記端末のアクセス層のベアラ構成情報、及び前記端末のアクセス層の能力情報を含み、
前記端末デバイスの非アクセス層コンテキスト情報は、前記端末の非アクセス層のセキュリティ構成情報、前記端末の非アクセス層の移動管理情報、前記端末の非アクセス層の接続状態情報、前記端末の非アクセス層のセッション管理情報、前記端末に割り当てられたネットワークプロトコルIPアドレス情報、及び前記端末の非アクセス層のサービス品質Ｑｏｓ情報を含み、
前記第１のアクセスデバイスと前記コアネットワークとの前記端末デバイスに関連する接続情報は、前記端末デバイスに割り当てられた伝送ネットワーク層チャネル情報、前記コアネットワークデバイス識別子、及び前記第１のアクセスデバイス識別子を含む
ことを特徴とする請求項２に記載のアクセスリンクの管理方法。
【請求項４】
前記第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することは、
第１のアクセスデバイスにより提供される第１のアクセスリンクから第２のアクセスデバイスにより提供される第２のアクセスリンクに切り替えた後、第１のタイマーを設定し、予め設定された時間長に従って時間をカウントすることと、
前記第１のタイマーが満了する前に、前記第１のアクセスリンクのパス及び／又は前記第１のアクセスリンクのコンテキスト情報を保持していることと、
前記第１のタイマーが満了する場合、前記第１のアクセスリンクのパス及び／又は前記第１のアクセスリンクのコンテキスト情報を解放することとを含む
ことを特徴とする請求項１に記載のアクセスリンクの管理方法。
【請求項５】
前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であり、又は、
前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報である
ことを特徴とする請求項１に記載のアクセスリンクの管理方法。
【請求項６】
前記方法は、さらに、
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別することを含む
ことを特徴とする請求項５に記載のアクセスリンクの管理方法。
【請求項７】
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することは、
前記第２のアクセスリンクから前記第１のアクセスリンクに切り替えて戻る場合、ネットワークデバイスに回復要求メッセージを送信することと、
前記ネットワークデバイスにより送信された前記回復要求メッセージに対する確認メッセージを受信することとを含み、
前記回復要求メッセージは、回復する必要があるベアラ、Ｑｏｓストリーム、サービスデータストリーム、ＰＤＵセッション、又はＰＤＮ接続の構成情報識別子を含む
ことを特徴とする請求項６に記載のアクセスリンクの管理方法。
【請求項８】
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することは、
前記第２のアクセスリンクから前記第１のアクセスリンクに切り替えて戻る場合、ネットワークデバイスにより送信された回復命令メッセージを受信することと、
前記回復命令メッセージに対して、前記ネットワークデバイスに回復応答メッセージを送信することとを含み、
前記回復命令メッセージは、回復する必要があるベアラ、Ｑｏｓストリーム、サービスデータストリーム、ＰＤＵセッション、又はＰＤＮ接続の構成情報識別子を含む
ことを特徴とする請求項６に記載のアクセスリンクの管理方法。
【請求項９】
前記ネットワークデバイスは、追加的に設けられたサービスアクセス管理ノードＡＴＳＳＳ、又は、前記第１のアクセスデバイスである
ことを特徴とする請求項１に記載のアクセスリンクの管理方法。
【請求項１０】
ネットワークデバイスがサービスアクセス管理ノードである場合、前記端末デバイスが前記ネットワークデバイスとメッセージの送受信を行うことは、
前記サービスアクセス管理ノードとのプロトコルスタックを利用してメッセージの送受信を行い、又は、
前記第１のアクセスデバイスにメッセージを送信した後、前記第１のアクセスデバイスを介して前記サービスアクセス管理ノードに送信し、又は、前記第１のアクセスデバイスにより送信されたメッセージを受信することを含み、
前記メッセージは、前記第１のアクセスデバイスが前記サービスアクセス管理ノードから受信する
ことを特徴とする請求項９に記載のアクセスリンクの管理方法。
【請求項１１】
ネットワークデバイスが第１のアクセスデバイスである場合、前記端末デバイスが前記ネットワークデバイスとメッセージの送受信を行うことは、
前記第１のアクセスデバイスとのプロトコルスタックを利用してメッセージの送受信を行うことを含む
ことを特徴とする請求項９に記載のアクセスリンクの管理方法。
【請求項１２】
ネットワークデバイスに応用されるアクセスリンクの管理方法であって、前記ネットワークデバイスが第１のアクセスデバイス又はサービスアクセス管理ノードであり、
前記アクセスリンクの管理方法は、
端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することと、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復することとを含み、
前記端末デバイスにも前記第１のアクセスリンクのパス及び／又は前記第１のアクセスリンクのコンテキスト情報が保持されている
ことを特徴とするアクセスリンクの管理方法。
【請求項１３】
前記第１のアクセスリンクのパスは、前記端末デバイスと前記第１のアクセスデバイスとの無線リソース制御ＲＲＣパス、非アクセス層ＮＡＳパス、パケットデータネットワークＰＤＮパス、プロトコルデータユニットＰＤＵセッションパス、及び前記端末デバイスとサービスアクセス管理ノードとの接続を含み、
前記第１のアクセスリンクのコンテキスト情報は、前記端末デバイスのアクセス層コンテキスト情報、前記端末デバイスの非アクセス層コンテキスト情報、前記第１のアクセスデバイスと前記コアネットワークとの前記端末デバイスに関連する接続情報、及び前記端末デバイスとサービスアクセス管理ノードとの接続のコンテキスト構成情報のうちの少なくとも１つを含む
ことを特徴とする請求項１２に記載のアクセスリンクの管理方法。
【請求項１４】
前記端末デバイスのアクセス層コンテキスト情報は、前記端末のアクセス層のセキュリティ構成情報、前記端末のアクセス層のベアラ構成情報、及び前記端末のアクセス層の能力情報を含み、
前記端末デバイスの非アクセス層コンテキスト情報は、前記端末の非アクセス層のセキュリティ構成情報、前記端末の非アクセス層の移動管理情報、前記端末の非アクセス層の接続状態情報、前記端末の非アクセス層のセッション管理情報、前記端末に割り当てられたネットワークプロトコルIPアドレス情報、及び前記端末の非アクセス層のサービス品質Ｑｏｓ情報を含み、
前記第１のアクセスデバイスと前記コアネットワークとの前記端末デバイスに関連する接続情報は、前記端末に割り当てられた伝送ネットワーク層チャネル情報、前記コアネットワークデバイス識別子、及び前記第１のアクセスデバイス識別子を含む
ことを特徴とする請求項１３に記載のアクセスリンクの管理方法。
【請求項１５】
前記端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することは、
第２のタイマーを設定し、予め設定された時間長に従って時間をカウントすることと、
前記第２のタイマーが満了する前に、前記第１のアクセスリンクのパス及び／又は前記第１のアクセスリンクのコンテキスト情報を保持していることと、
前記第２のタイマーが満了する場合、前記第１のアクセスリンクのパス及び／又は前記第１のアクセスリンクのコンテキスト情報を解放することとを含む
ことを特徴とする請求項１２に記載のアクセスリンクの管理方法。
【請求項１６】
前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であり、
又は、
前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報である
ことを特徴とする請求項１２に記載のアクセスリンクの管理方法。
【請求項１７】
前記方法は、さらに、
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別することを含む
ことを特徴とする請求項１６に記載のアクセスリンクの管理方法。
【請求項１８】
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復することは、
前記端末デバイスが前記第２のアクセスリンクから前記第１のアクセスリンクに切り替えて戻る場合、前記端末デバイスにより送信された回復要求メッセージを受信することと、
前記回復要求メッセージに対する確認メッセージを前記端末デバイスに送信することとを含み、
前記回復要求メッセージは、回復する必要があるベアラ、Ｑｏｓストリーム、サービスデータストリーム、ＰＤＵセッション、又はＰＤＮ接続の構成情報識別子を含む
ことを特徴とする請求項１７に記載のアクセスリンクの管理方法。
【請求項１９】
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復することは、
前記第２のアクセスリンクから前記第１のアクセスリンクに切り替えて戻る場合、前記端末デバイスに回復命令メッセージを送信することと、
前記端末デバイスにより送信された前記回復命令メッセージに対する回復応答メッセージを受信することとを含み、
前記回復命令メッセージは、回復する必要があるベアラ、Ｑｏｓストリーム、サービスデータストリーム、ＰＤＵセッション、又はＰＤＮ接続の構成情報識別子を含む
ことを特徴とする請求項１７に記載のアクセスリンクの管理方法。
【請求項２０】
前記ネットワークデバイスがサービスアクセス管理ノードである場合、前記端末デバイスが前記ネットワークデバイスとメッセージの送受信を行うことは、
前記端末デバイスとのプロトコルスタックを利用してメッセージの送受信を行うこと、又は、
前記第１のアクセスデバイスにより送信されたメッセージを受信し、前記メッセージが前記端末デバイスから前記第１のアクセスデバイスに送信し、又は、前記第１のアクセスデバイスにメッセージを送信し、第１のアクセスデバイスを介して前記メッセージを前記端末デバイスに送信することを含む
ことを特徴とする請求項１２に記載のアクセスリンクの管理方法。
【請求項２１】
前記ネットワークデバイスが第１のアクセスデバイスである場合、前記端末デバイスが前記ネットワークデバイスとメッセージの送受信を行うことは、
前記端末デバイスとのプロトコルスタックを利用してメッセージの送受信を行うことを含む
ことを特徴とする請求項１２に記載のアクセスリンクの管理方法。
【請求項２２】
前記第１のアクセスリンクのコンテキスト情報は、構成情報のタイプに応じて異なるネットワークエンティティに保持され、前記アクセス層コンテキスト情報は第１のアクセスデバイスに保持され、前記非アクセス層コンテキスト情報はコアネットワークデバイスに保持され、前記第１のアクセスデバイスと前記コアネットワークとの前記端末デバイスに関連する接続情報は、前記第１のアクセスデバイス及び前記コアネットワークデバイスに保持される
ことを特徴とする請求項１３に記載のアクセスリンクの管理方法。
【請求項２３】
前記第１のアクセスリンクのコンテキスト情報は、前記コアネットワークデバイスに保持される
ことを特徴とする請求項１３に記載のアクセスリンクの管理方法。
【請求項２４】
第１の保持部と第１の回復部とを含む端末デバイスであって、
前記第１の保持部は、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持するように構成され、
前記第１の回復部は、前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、
前記ネットワークデバイスにも前記第１のアクセスリンクのパス及び／又は前記第１のアクセスリンクのコンテキスト情報が保持されている
ことを特徴とする端末デバイス。
【請求項２５】
前記第１の保持部は、
第１のアクセスデバイスにより提供される第１のアクセスリンクから第２のアクセスデバイスにより提供される第２のアクセスリンクに切り替えた後、第１のタイマーを設定し、予め設定された時間長に従って時間をカウントし、
前記第１のタイマーが満了する前に、前記第１のアクセスリンクのパス及び／又は前記第１のアクセスリンクのコンテキスト情報を保持しており、
前記第１のタイマーが満了する場合、前記第１のアクセスリンクのパス及び／又は前記第１のアクセスリンクのコンテキスト情報を解放するように構成される
ことを特徴とする請求項２４に記載の端末デバイス。
【請求項２６】
前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であり、又は、
前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報である
ことを特徴とする請求項２４に記載の端末デバイス。
【請求項２７】
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別するように構成される第１の識別部を含む
ことを特徴とする請求項２６に記載の端末デバイス。
【請求項２８】
前記第１の回復部は、
前記第２のアクセスリンクから前記第１のアクセスリンクに切り替えて戻る場合、ネットワークデバイスに回復要求メッセージを送信し、
前記ネットワークデバイスにより送信された前記回復要求メッセージに対する確認メッセージを受信するように構成され、
前記回復要求メッセージは、回復する必要があるベアラ、Ｑｏｓストリーム、サービスデータストリーム、ＰＤＵセッション、又はＰＤＮ接続の構成情報識別子を含む
ことを特徴とする請求項２７に記載の端末デバイス。
【請求項２９】
前記第１の回復部は、
前記第２のアクセスリンクから前記第１のアクセスリンクに切り替えて戻る場合、ネットワークデバイスにより送信された回復命令メッセージを受信し、
前記回復命令メッセージに対して、前記ネットワークデバイスに回復応答メッセージを送信するように構成され、
前記回復命令メッセージは、回復する必要があるベアラ、Ｑｏｓストリーム、サービスデータストリーム、ＰＤＵセッション、又はＰＤＮ接続の構成情報識別子を含む
ことを特徴とする請求項２７に記載の端末デバイス。
【請求項３０】
ネットワークデバイスがサービスアクセス管理ノードである場合、前記第１の回復部は、
前記サービスアクセス管理ノードとのプロトコルスタックを利用してメッセージの送受信を行い、又は、
前記第１のアクセスデバイスにメッセージを送信した後、前記第１のアクセスデバイスを介して前記サービスアクセス管理ノードに送信し、又は、前記第１のアクセスデバイスにより送信されたメッセージを受信するように構成され、
前記メッセージは、前記第１のアクセスデバイスが前記サービスアクセス管理ノードから受信する
ことを特徴とする請求項２４に記載の端末デバイス。
【請求項３１】
ネットワークデバイスが第１のアクセスデバイスである場合、前記第１の回復部は、
前記第１のアクセスデバイスとのプロトコルスタックを利用してメッセージの送受信を行うように構成される
ことを特徴とする請求項２４に記載の端末デバイス。
【請求項３２】
第２の保持部と第２の回復部を含むネットワークデバイスであって、
前記第２の保持部は、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持するように構成され、
前記第２の回復部は、前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成され、
前記端末デバイスにも前記第１のアクセスリンクのパス及び／又は前記第１のアクセスリンクのコンテキスト情報が保持されている
ことを特徴とするネットワークデバイス。
【請求項３３】
前記第２の保持部は、
第２のタイマーを設定し、予め設定された時間長に従って時間をカウントし、
前記第２のタイマーが満了する前に、前記第１のアクセスリンクのパス及び／又は前記第１のアクセスリンクのコンテキスト情報を保持しており、
前記第２のタイマーが満了する場合、前記第１のアクセスリンクのパス及び／又は前記第１のアクセスリンクのコンテキスト情報を解放するように構成される
ことを特徴とする請求項３２に記載のネットワークデバイス。
【請求項３４】
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別するように構成される第２の識別部をさらに含む
ことを特徴とする請求項３２に記載のネットワークデバイス。
【請求項３５】
前記第２の回復部は、
前記端末デバイスが前記第２のアクセスリンクから前記第１のアクセスリンクに切り替えて戻る場合、前記端末デバイスにより送信された回復要求メッセージを受信し、
前記回復要求メッセージに対する確認メッセージを前記端末デバイスに送信するように構成され、
前記回復要求メッセージは、回復する必要があるベアラ、Ｑｏｓストリーム、サービスデータストリーム、ＰＤＵセッション、又はＰＤＮ接続の構成情報識別子を含む
ことを特徴とする請求項３４に記載のネットワークデバイス。
【請求項３６】
前記第２の回復部は、
前記第２のアクセスリンクから前記第１のアクセスリンクに切り替えて戻る場合、前記端末デバイスに回復命令メッセージを送信し、
前記端末デバイスにより送信された前記回復命令メッセージに対する回復応答メッセージを受信するように構成され、
前記回復命令メッセージは、回復する必要があるベアラ、Ｑｏｓストリーム、サービスデータストリーム、ＰＤＵセッション、又はＰＤＮ接続の構成情報識別子を含む
ことを特徴とする請求項３４に記載のネットワークデバイス。
【請求項３７】
前記ネットワークデバイスがサービスアクセス管理ノードである場合、前記第２の回復部は、
前記端末デバイスとのプロトコルスタックを利用してメッセージの送受信を行い、
又は、
前記第１のアクセスデバイスにより送信されたメッセージを受信し、前記メッセージが前記端末デバイスから前記第１のアクセスデバイスに送信し、又は、前記第１のアクセスデバイスにメッセージを送信し、第１のアクセスデバイスを介して前記メッセージを前記端末デバイスに送信するように構成される
ことを特徴とする請求項３２に記載のネットワークデバイス。
【請求項３８】
前記ネットワークデバイスが第１のアクセスデバイスである場合、前記第２の回復部は、
前記端末デバイスとのプロトコルスタックを利用してメッセージの送受信を行うように構成される
ことを特徴とする請求項３２に記載のネットワークデバイス。
【請求項３９】
前記第１のアクセスリンクのコンテキスト情報は、構成情報のタイプに応じて異なるネットワークエンティティに保持され、
前記アクセス層コンテキスト情報は第１のアクセスデバイスに保持され、前記非アクセス層コンテキスト情報はコアネットワークデバイスに保持され、前記第１のアクセスデバイスと前記コアネットワークとの前記端末デバイスに関連する接続情報は、前記第１のアクセスデバイス及び前記コアネットワークデバイスに保持される
ことを特徴とする請求項３２に記載のネットワークデバイス。
【請求項４０】
前記第１のアクセスリンクのコンテキスト情報は、前記コアネットワークデバイスに保持される
ことを特徴とする請求項３２に記載のネットワークデバイス。
【請求項４１】
第１のネットワークインターフェース、第１のメモリ及び第１のプロセッサを含む端末デバイスであって、
前記第１のネットワークインターフェースは、他の外部ネットワーク要素とメッセージの送受信において、信号を送受信するように構成され、
前記第１のメモリは、前記第１のプロセッサで実行されるコンピュータープログラムを記憶するように構成され、
前記第１のプロセッサは、前記コンピュータープログラムが実行される場合、請求項１〜１１のいずれか１項に記載の方法のステップを実行するように構成される
ことを特徴とする端末デバイス。
【請求項４２】
第２のネットワークインターフェース、第２のメモリ及び第２のプロセッサを含むネットワークデバイスであって、
前記第２のネットワークインターフェースは、他の外部ネットワーク要素とメッセージの送受信において、信号を送受信するように構成され、
前記第２のメモリは、前記第２のプロセッサで実行されるコンピュータープログラムを記憶するように構成され、
前記第２のプロセッサは、前記コンピュータープログラムが実行される場合、請求項１２〜２３のいずれか１項に記載の方法のステップを実行するように構成される
ことを特徴とするネットワークデバイス。
【請求項４３】
アクセスリンクの管理プログラムが記憶するコンピューター読み取り可能な媒体であって、
前記アクセスリンクの管理プログラムが少なくとも１つのプロセッサにより実行される場合、請求項１〜２３のいずれか１項に記載の方法のステップを実行する
ことを特徴とするコンピューター読み取り可能な媒体。
【請求項４４】
端末デバイスとネットワークデバイスとを含むアクセスリンクの管理システムであって、
前記端末デバイスは、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、
前記ネットワークデバイスは、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成される
ことを特徴とするアクセスリンクの管理システム。
【発明の詳細な説明】
【技術分野】
【０００１】
本願の実施例は、無線通信技術に関し、特に、アクセスリンクの管理方法、デバイス、記憶媒体及びシステムに関する。
【背景技術】
【０００２】
通信技術の発展に伴い、第５世代移動体通信技術( ５Ｇ：５ｔｈ  Ｇｅｎｅｒａｔｉｏｎ )の研究も進められている。５Ｇシステムでは、マルチ接続( Ｍｕｌｔｉ−Ｃｏｎｎｅｃｔｉｏｎ )データ伝送が５Ｇネットワークのキーテクノロジーの１つである。マルチ接続データ伝送とは、端末とネットワーク側との間で、複数のアクセスネットワークが提供するアクセスリンクを介したデータ伝送を可能とすることをいう。例えば、端末は、第３世代パートナーシッププロジェクト( ３ＧＰＰ：３ｒｄ Ｇｅｎｅｒａｔｉｏｎ Ｐａｒｔｎｅｒｓｈｉｐ Ｐｒｏｊｅｃｔ )プロトコルネットワークによって提供されるアクセスリンク、および非３ＧＰＰプロトコルネットワークによって提供されるアクセスリンクを通じてネットワーク側との間でデータ伝送を行うことができ、また、端末は、３ＧＰＰプロトコルにおける異なる無線アクセス技術( ＲＡＴ：Ｒａｄｉｏ Ａｃｃｅｓｓ Ｔｅｃｈｎｏｌｏｇｙ )ネットワークによって提供されるアクセスリンクを通じてネットワーク側との間でデータ伝送を行うこともできる。
【０００３】
端末がデータ伝送を行っている過程に、ネットワークへのアクセスリンクを切り替える場合がある。通常、端末は、元アクセスネットワークのアクセスリンクを新規アクセスネットワークのアクセスリンクに切り替え、新規アクセスネットワークのアクセスリンクがデータを正常に伝送できた後に、元アクセスネットワークのアクセスリンクを解放する。このような手順は、端末がアクセスネットワークのアクセスリンクを切り替えて戻る際に、元アクセスネットワークを提供する元アクセスデバイスとの接続を確立する必要があり、このとき、元アクセスデバイスは、端末にアクセスリンクリソースを新たに割り当てる。この場合、アクセスネットワークのアクセスリンクに対する端末の切り替えて戻る遅延が増大する。
【発明の概要】
【０００４】
本願の実施例は、上記のような問題点を解決するためになされたものであり、端末がアクセスネットワークのアクセスリンクに対して切り替えて戻る遅延を低減することができるアクセスリンクの管理方法、デバイス、記憶媒体及びシステムを提供することを目的とする。
【０００５】
本願の実施例に係る技術案は以下の通りである。
【０００６】
第１の形態として、本願の実施例はアクセスリンクの管理方法を提供し、前記方法が端末デバイスに応用され、前記方法は、
第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することと、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することとを含み、
ここで、前記ネットワークデバイスにも前記第１のアクセスリンクのパス及び／又は前記第１のアクセスリンクのコンテキスト情報が保持されている。
【０００７】
第２の形態として、本願の実施例はアクセスリンクの管理方法を提供し、前記方法がネットワークデバイスに応用され、前記ネットワークデバイスが第１のアクセスデバイス又はサービスアクセス管理ノードであり、前記方法は、
端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することと、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復することとを含み、
ここで、前記端末デバイスにも前記第１のアクセスリンクのパス及び／又は前記第１のアクセスリンクのコンテキスト情報が保持されている。
【０００８】
第３の形態として、本願の実施例は端末デバイスを提供し、第１の保持部と第１の回復部とを含み、ここで、
前記第１の保持部は、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持するように構成され、
前記第１の回復部は、前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、ここで、前記ネットワークデバイスにも前記第１のアクセスリンクのパス及び／又は前記第１のアクセスリンクのコンテキスト情報が保持されている。
【０００９】
第４の形態として、本願の実施例はネットワークデバイスを提供し、第２の保持部と第２の回復部とを含み、ここで、
前記第２の保持部は、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持するように構成され、
前記第２の回復部は、前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成され、ここで、前記端末デバイスにも前記第１のアクセスリンクのパス及び／又は前記第１のアクセスリンクのコンテキスト情報が保持されている。
【００１０】
第５の形態として、本願の実施例は端末デバイスを提供し、第１のネットワークインターフェース、第１のメモリ及び第１のプロセッサを含み、ここで、
前記第１のネットワークインターフェース、他の外部ネットワーク要素とのメッセージの送受信において、信号を送受信するように構成され、
前記第１のメモリは、前記第１のプロセッサで実行されるコンピュータープログラムを記憶するように構成され、
前記第１のプロセッサは、前記コンピュータープログラムを実行する場合、第１の形態の方法のステップを実行するように構成される。
【００１１】
第６の形態として、本願の実施例はネットワークデバイスを提供し、第２のネットワークインターフェース、第２のメモリ及び第２のプロセッサを含み、
ここで、前記第２のネットワークインターフェースは、他の外部ネットワーク要素とのメッセージの送受信において、信号を送受信するように構成され、
前記第２のメモリは、第２のプロセッサで実行されるコンピュータープログラムを記憶するように構成され、
前記第２のプロセッサは、前記コンピュータープログラムが実行される場合、第２の形態前記方法のステップを実行するように構成される。
【００１２】
第７の形態として、本願の実施例はコンピューター読み取り可能な媒体を提供し、前記コンピューター読み取り可能な媒体はアクセスリンクの管理プログラムを記憶し、前記アクセスリンクの管理プログラムが少なくとも１つのプロセッサにより実行される場合、第１の形態又は第２の形態の方法のステップを実行する。
【００１３】
第８の形態として、本願の実施例は、アクセスリンクの管理システムを提供し、端末デバイス及びネットワークデバイスを含む、ここで、
前記端末デバイスは、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、
前記ネットワークデバイスは、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成される。
【００１４】
本願の実施例は、アクセスリンクの管理方法、デバイス、記憶媒体及びシステムを提供し、第２のアクセスリンクから第１のアクセスリンクに切りかえて戻る必要がある場合、端末と第１のアクセスデバイスの両方が、元アクセスリンク、すなわち第１のアクセスリンクパス及びコンテキスト情報を既に保持しているので、端末と第１のアクセスデバイスの間は、保持している第１のアクセスリンクのパス及びコンテキスト情報に基づいて第１のアクセスリンクを回復することができ、第１のアクセスデバイスが端末デバイスに新たにアクセスリソースを割り当てる必要がなく、アクセスリンク切り替え戻しの時間遅延が低減される。
【図面の簡単な説明】
【００１５】
【図１】５Ｇの基本ネットワークアーキテクチャの概略図である。
【図２】本願の実施例におけるネットワークアーキテクチャの概略図である。
【図３】本願の実施例におけるアクセスリンクの管理方法のフローチャートである。
【図４】本願の実施例におけるアクセスリンクの管理方法のフローチャートである。
【図５】本願の実施例における他のネットワークアーキテクチャの概略図である。
【図６】本願の実施例におけるデータ伝送過程の模式図である。
【図７】本願の実施例における端末デバイスの構成図である。
【図８】本願の実施例における他の端末デバイスの構成図である。
【図９】本願の実施例における端末デバイスの具体的なハードウェア構成を示す図である。
【図１０】本願の実施例におけるネットワークデバイスの構成図である。
【図１１】本願の実施例における他のネットワークデバイスの構成図である。
【図１２】本願の実施例におけるネットワークデバイスの具体的なハードウェア構成を示す図である。
【図１３】本願の実施例におけるアクセスリンクの管理システムの構成図である。
【発明を実施するための形態】
【００１６】
本願の実施例の特徴と技術内容をより詳細に理解できるように、以下、添付図面を参照して本願の実施例の実装を詳細に説明するが、添付図面は、説明のためのものであり、本願の実施例を限定するものではない。
【００１７】
図１を参照すると、サービスベースのネットワークアーキテクチャ( ＳＢＡ：Ｓｅｒｖｉｃｅ−Ｂａｓｅｄ Ａｒｃｈｉｔｅｃｔｕｒｅ )と呼ばれ得る、マルチアクセス５Ｇを有するインフラストラクチャが示されている。図１に示すように、ユーザデバイス( ＵＥ：Ｕｓｅｒ Ｅｑｕｉｐｍｅｎｔ )は、(無線)アクセスネットワーク( ( Ｒ ) ＡＮ、（ Ｒａｄｉｏ ） Ａｃｃｅｓｓ Ｎｅｔｗｏｒｋ )を介したコアアクセスモビリティ管理( ＡＭＦ：Ｃｏｒｅ Ａｃｃｅｓｓ ａｎｄ Ｍｏｂｌｉｔｙ Ｍａｎａｇｅｍｅｎｔ Ｆｕｎｃｔｉｏｎ )にアクセスし、ＵＥはＡＭＦに直接アクセスしてもよく、ＡＭＦは、ロングタームエボリューション( ＬＴＥ：Ｌｏｎｇ Ｔｅｒｍ Ｅｖｏｌｕｔｉｏｎ )システムにおけるモビリティ管理エンティティ( ＭＭＥ：Ｍｏｂｉｌｉｔｙ Ｍａｎａｇｅｍｅｎｔ Ｅｎｔｉｔｙ )におけるＥＰＳモビリティ管理( ＥＭＭ )と同様の機能を有しており、ネットワークの制御プレーンメッセージを処理するために使用される。認証サービス機能( ＡＵＳＦ、Ａｕｔｈｅｎｔｉｃａｔｉｏｎ Ｓｅｒｖｅｒ Ｆｕｎｃｔｉｏｎ )は、ＬＴＥシステムにおけるＭＭＥの健全な機能と同様に、ＵＥの双方向認証を実現し、統一された認証フレームワークをサポートする。ユーザプレーン機能( ＵＰＦ：Ｕｓｅｒｐｌａｎｅ Ｆｕｎｃｔｉｏｎ )は、ＬＴＥシステムにおけるサービングゲートウェイＳ−ＧＷとＰＤＮゲートウェイＰ−ＧＷとの統合に類似し、データネットワークＤａｔａＮｅｔｗｏｒｋに接続される。セッション管理機能( ＳＭＦ、Ｓｅｅｓｉｏｎ Ｍａｎａｇｅｍｅｎｔ Ｆｕｎｃｔｉｏｎ )は、ＬＴＥシステムにおけるＥＰＳセッション管理ＥＳＭ機能と同様に、主にセッションの管理、確立、修正、および解放する。これから分かるように、ＡＵＳＦ、ＡＭＦ及びＳＭＦの機能の組合せは、ＬＴＥシステムにおけるＭＭＥと同様である。また、図１に示す構成は、ＮＥＦ機能( ＮＥＦ：Ｎｅｔｗｏｒｋ Ｅｘｐｏｓｕｒｅ Ｆｕｎｃｔｉｏｎ )、ネットワーク要素保持機能( ＮＲＦ：ＮＦ Ｒｅｐｏｓｉｔｏｒｙ Ｆｕｎｃｔｉｏｎ )、ポリシコントロール機能( ＰＣＦ：Ｐｏｌｉｃｙ Ｃｏｎｔｒｏｌ Ｆｕｎｃｔｉｏｎ )、統合データ管理( ＵＤＭ：Ｕｎｉｆｉｅｄ Ｄａｔａ Ｍａｎａｇｅｍｅｎｔ )、アプリケーション機能（ＡＦ、Ａｐｐｌｉｃａｔｉｏｎ Ｆｕｎｃｔｉｏｎ）を含み、ここで、ＮＥＦ機能( ＮＥＦ：Ｎｅｔｗｏｒｋ Ｅｘｐｏｓｕｒｅ Ｆｕｎｃｔｉｏｎ )は、ネットワーク機能の監視能力、供給能力、ポリシー、課金能力などの一部の能力を外部に提示し、ＮＲＦがサービス発見機能をサポートし、ＰＦＣは、ネットワークの振る舞いを管理する統合ポリシーフレームをサポートし、ＵＤＭは、アプリケーションフロントエンド( ＦＥ )及びユーザデータリポジトリ( ＵＤＲ )を含み、ＦＥはＵＤＲの加入者情報にアクセスすることができ、ＵＤＭの機能はＬＴＥシステムのＨＳＳと同様であり、ＵＤＲは加入者データ格納サービスを提供し、プリケーションフロントエンドFEは、データに基づくアプリケーションロジックを提供し、ＡＦは、アプリケーションサービスを提供する。
【００１８】
上記アーキテクチャにおけるネットワークから分かるように、(無線)アクセスネットワーク(Ｒ)ＡＮとデータネットワークＤａｔａＮｅｗｏｒｋとの間のアーキテクチャは、５Ｇコアネットワークと呼ばれ、５Ｇコアネットワークにおけるネットワーク要素は、５Ｇコアネットワーク要素と呼ばれることがある。５Ｇ技術では、端末は、複数のアクセスネットワークのアクセスリンクを通じて、多重接続データ伝送を可能にし、複数のアクセスネットワークは、５Ｇ ＮＲアクセス技術( ＮＲ：Ｎｅｗ Ｒａｄｉｏ )、ＬＴＥアクセスなどを用いた３ＧＰＰ規格に準拠するアクセスネットワークを含み、また、非３ＧＰＰ規格のアクセスネットワーク、たとえば、ワイヤレスフィデリティ( ＷＩＦＩ：ＷＩｒｅｌｅｓｓ−ＦＩｄｅｌｉｔｙ )ネットワークなどを含み得る。この実施例ではその説明を省略する。
【００１９】
５Ｇネットワークにおけるサービスのための多重接続データ伝送のために、本願の実施例は、図１に示すネットワークアーキテクチャに基づいて、マルチ接続伝送のための伝送されるデータストリームを制御するために、サービスアクセス管理ノード( ＡＴＳＳＳ/ＡＴ３ＳＦ )をさらに提供する。５Ｇネットワークアーキテクチャに基づくデュアルコネクティビティ( ＤＣ、Ｄｕａｌ Ｃｏｎｎｅｃｔｉｏｎ )データ伝送を例とする。送信するデータストリームが下りデータストリームである場合、サービスアクセス管理ノードは、独立型ネットワークエンティティとして(Ｒ)ＡＮと５Ｇコアネットワークエンティティとの間に配置され、５ＧコアネットワークがＵＥとのデータ伝送要求を有するネットワークエンティティ、例えばＵＤＭ、ＳＭＦ、ＰＣＦ及びＵＰＦに機能モジュールの形態で分散されてもよい。この実施例ではその説明を省略する。送信するデータストリームが上りデータストリームである場合、サービスアクセス管理ノードは、独立なネットワークエンティティとして(Ｒ)ＡＮとＵＥとの間に設けられ、ＵＥの１つの機能ブロックとして実現されてもよい。本願の実施例において、好ましくは、サービスアクセス管理ノードＡＴ３ＳＦは、ＵＤＭ、ＳＭＦ、ＰＣＦ、ＳＭＦ及びＵＰＦなどの５Ｇコアネットワークにおけるデータ伝送要件を有するネットワーク要素内に分散されてもよいし、ＵＥに設けられてもよく、図２に示されるフレームワークを参照すると、図２において、３ＧＰＰ標準に準拠するアクセスネットワークは、５Ｇ基地局ｇＮＢ又はＬＴＥ基地局ｅＮＢ等の３ＧＰＰプロトコルアクセスデバイス３ＧＰＰ Ａｃｃｅｓｓによって提供され、非３ＧＰＰ標準のアクセスネットワークは、ＷＩＦＩアクセスポイントなどの非３ＧＰＰアクセスデバイスＮｏｎ−３ＧＰＰ Ａｃｃｅｓｓによって提供され得る。
【００２０】
以上の内容に基づいて、以下の実施例を提案する。
【００２１】
実施例一
図３を参照し、本願の実施例におけるアクセスリンクの管理方法を示し、当該方法が端末デバイスに応用され、前記方法は、Ｓ３０１及びＳ３０２を含み、
Ｓ３０１において、第１のアクセスデバイスにより提供される第１のアクセスリンクから第２のアクセスデバイスにより提供される第２のアクセスリンクに切り替えた後、第１のアクセスリンクのパス及び／又は第１のアクセスリンクのコンテキスト情報を保持し、
Ｓ３０２において、前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復し、ここで、前記ネットワークデバイスにも前記第１のアクセスリンクのパス及び／又は前記第１のアクセスリンクのコンテキスト情報が保持されている。
【００２２】
図３に示す方法によれば、第２のアクセスリンクから第１のアクセスリンクへの切替戻しが必要な場合、端末及び第１のアクセスデバイスの両方が、元のアクセスリンク、すなわち、第１のアクセスリンクのパス及び/又はコンテキスト情報を既に保持しているので、端末と第１のアクセスデバイスとは、保持された第１のアクセスリンクのパス及び/又はコンテキスト情報に基づいて第１のアクセスリンクを回復することができ、第１のアクセスデバイスが端末デバイスに新たにアクセスリソースを割り当てる必要がなく、アクセスリンクの切替戻しの時間遅延が低減されることが分かる。
【００２３】
なお、前記第１のアクセスデバイス及び前記第２のアクセスデバイスは、それぞれ、３ＧＰＰプロトコルに準拠したアクセスデバイス及び非３ＧＰＰプロトコルのアクセスデバイスであってもよく、それぞれ、３ＧＰＰプロトコルにおける異なるＲＡＴのアクセスデバイスであってもよく、この実施例は、説明を省略する。
【００２４】
また、切替の具体的なプロセスにおいて、第１のアクセスリンクは元アクセスリンクとも称され、第２のアクセスリンクはターゲットアクセスリンクとも称され得ることをさらに留意されたい。
【００２５】
本願の実施例において、端末デバイスは、携帯電話、スマートフォン、セッション開始プロトコル( ＳＩＰ )電話、ラップトップコンピュータ、携帯情報端末( ＰＤＡ )、衛星ラジオ、全地球測位システム、マルチメディアデバイス、ビデオデバイス、デジタルオーディオプレーヤ(たとえば、ＭＰ３プレーヤ)、カメラ、ゲームコンソール、タブレットコンピュータ、または同様の機能を有する任意の他のデバイスを含み得ることを理解されたい。一方、端末デバイスは、当業者によって、ユーザデバイス、端末、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００２６】
図３に示す技術案によって、実現可能な方式において、前記第１のアクセスリンクのパスは、前記端末デバイスと前記第１のアクセスデバイスとの無線リソース制御（ＲＲＣ、Ｒａｄｉｏ Ｒｅｓｏｕｒｃｅ Ｃｏｎｔｒｏｌ）パス、非アクセス層（ＮＡＳ、Ｎｏｎ−ａｃｃｅｓｓ ｓｔｒａｔｕｍ）パス、パケットデータネットワーク（ＰＤＮ、Ｐａｃｋｅｔ Ｄａｔａ Ｎｅｔｗｏｒｋ）パス、プロトコルデータユニット（ＰＤＵ、Ｐｒｏｔｏｃｏｌ Ｄａｔａ Ｕｎｉｔ）セッションパス及び前記端末デバイスとサービスアクセス管理ノードとの接続等を含み、
前記第１のアクセスリンクのコンテキスト情報は、
前記端末デバイスのアクセス層コンテキスト情報、前記端末デバイスの非アクセス層コンテキスト情報、前記第１のアクセスデバイスと前記コアネットワークとの前記端末デバイスに関連する接続情報、及び前記端末デバイスとサービスアクセス管理ノードとの接続のコンテキスト構成情報のうちの少なくとも１つを含む。
【００２７】
上記の実現可能な方式において、具体的に、前記端末デバイスのアクセス層コンテキスト情報は、前記端末のアクセス層のセキュリティ構成情報、前記端末のアクセス層のベアラ構成情報及び前記端末のアクセス層の能力情報等を含む、
前記端末デバイスの非アクセス層コンテキスト情報は、前記端末の非アクセス層のセキュリティ構成情報、前記端末の非アクセス層の移動管理情報、前記端末の非アクセス層の接続状態情報、前記端末の非アクセス層のセッション管理情報、前記端末に割り当てたネットワークプロトコル（ＩＰ、Ｉｎｔｅｒｎｅｔ Ｐｒｏｔｏｃｏｌ）アドレス情報及び前記端末の非アクセス層のサービス品質（Ｑｏｓ、Ｑｕａｌｉｔｙ ｏｆ Ｓｅｒｖｉｃｅ）情報等を含み、
前記第１のアクセスデバイスと前記コアネットワークとの前記端末デバイスに関連する接続情報は、前記端末に割り当てられた伝送ネットワーク層チャネル情報、前記コアネットワークデバイス識別子、及び前記第１のアクセスデバイス識別子を含む。
【００２８】
プロトコルスタックにおいて、ＲＲＣおよび無線アクセスネットワークアプリケーションプロトコル( ＲＡＮＡＰ、Ｒａｄｉｏ Ａｃｃｅｓｓ Ｎｅｔｗｏｒｋ Ａｐｐｌｉｃａｔｉｏｎ Ｐｒｏｔｏｃｏｌ )層およびその下のプロトコル層は、アクセス層と呼ばれ、それらの上のモビリティ管理(ＭＭ、Ｍｏｂｉｌｅ Ｍａｎａｇｅｍｅｎｔ )、セッション管理( ＳＭ、Ｓｅｓｓｉｏｎ Ｍａｎａｇｅｍｅｎｔ )、コール制御(ＣＣ、Ｃａｌｌ Ｃｏｎｔｒｏｌ )、ＳＭＳなどは、非アクセス層と呼ばれることが理解されよう。簡単に言えば、アクセス層のフローとは、無線ネットワークコントローラ( ＲＮＣ、Ｒａｄｉｏ Ｎｅｔｗｏｒｋ Ｃｏｎｔｒｏｌｌｅｒ )、ｅＮｏｄｅＢ、ｇＮＢなどの無線アクセス層の装置が処理に関与する必要があるフローを指す。非アクセス層のフローとは、ＵＥとコアネットワーク( ＣＮ、Ｃｏｒｅ Ｎｅｔｗｏｒｋ )のみが処理を必要とするシグナリングフローを指し、ＲＮＣ、ｅＮｏｄｅＢ、ｇＮＢは処理を必要としない。
【００２９】
なお、上記具体例で述べたコンテキスト情報は、第１のアクセスリンクの属性情報を記述できるようになっており、第１のアクセスリンクに切り替えて戻る際に、第１のアクセスデバイスがネットワークリソースを再割り当てすることなく、第１のアクセスリンクを再確立できるように、上記コンテキスト内の属性記述情報に従って第１のアクセスリンクを回復することができる。
【００３０】
実際の応用において、アクセスデバイスが多くの端末デバイスにアクセスリンクを提供する必要があるため、端末とアクセスデバイスとは、第１のアクセスリンクのパス及びコンテキスト情報を長時間に保持することができなく、これによって、Ｓ３０１において第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することは、具体的に、
第１のアクセスデバイスにより提供される第１のアクセスリンクから第２のアクセスデバイスにより提供される第２のアクセスリンクに切り替えた後、第１のタイマーを設定し、予め設定された時間長に従って時間をカウントすることと、
前記第１のタイマーが満了する前に、前記第１のアクセスリンクのパス及び／又は前記第１のアクセスリンクのコンテキスト情報を保持していることと、
前記第１のタイマーが満了する場合、前記第１のアクセスリンクのパス及び／又は前記第１のアクセスリンクのコンテキスト情報を解放することとを含む。
【００３１】
これにより、タイマーにより前記第１のアクセスリンクのパス及び/又は前記第１のアクセスリンクのコンテキスト情報の保持時間を計時し、タイムアウト後に解放する。端末が第１のアクセスリンクのパス及び/又は前記第１のアクセスリンクのコンテキスト情報を記憶するための記憶リソースの利用効率を向上させることができる。
【００３２】
なお、前記予め設定された時間長は、ネットワークデバイスから端末に送信される時間長設定情報に基づいて設定されてもよく、ネットワークデバイスとのインタラクションを利用して端末がネットワーク側に時間長設定に関する提案を行った後に設定されてもよく、この実施例ではこれについての説明を省略する。
【００３３】
図３に記載の技術案として、実現可能な方式において、端末が第２のアクセスリンクに切り替える前に、第１のアクセスリンクの全てのアクセスリソースを占用しない場合、前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であってもよい。
【００３４】
図３に記載の技術案として、実現可能な方式において、端末が第２のアクセスリンクに切り替える前に、第１のアクセスリンクの全てのアクセスリソースを占用する場合、前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報であってもよい。
【００３５】
上記の２つの実現可能な方式に基づいて、前記方法は、さらに、
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別することを含む。構成情報の識別の処理は、端末デバイスによって実行されてもよいし、ネットワークデバイスによっても達成され得る。また、端末デバイスとネットワークデバイスとがインタラクションにより統一された識別ポリシーを予め確認しておき、それぞれがその識別ポリシーに従って識別することで、識別の統一性を図ってもよい。
【００３６】
図３に記載の技術案として、実現可能な方式において、Ｓ３０２において前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することは、具体的に、
前記第２のアクセスリンクから前記第１のアクセスリンクに切り替えて戻る場合、ネットワークデバイスに回復要求メッセージを送信することと、
前記ネットワークデバイスにより送信された前記回復要求メッセージに対する確認メッセージを受信することとを含む。
【００３７】
なお、回復要求メッセージには回復必要なベアラ、Ｑｏｓストリーム、サービスデータストリーム、ＰＤＵセッション、又はＰＤＮ接続の構成情報識別子が含まれてもよく、この場合、ネットワークデバイスは、構成情報識別子に基づいて、第１のアクセスリンクに回復必要なベアラ、Ｑｏｓストリーム、サービスデータストリーム、ＰＤＵセッション又はＰＤＮ接続を把握する。
【００３８】
図３に記載の技術案として、他の実現可能な方式において、Ｓ３０２において前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することは、具体的に、
前記第２のアクセスリンクから前記第１のアクセスリンクに切り替えて戻る場合、ネットワークデバイスにより送信された回復命令メッセージを受信することと、
前記回復命令メッセージに対して、前記ネットワークデバイスに回復応答メッセージを送信することとを含む。
【００３９】
なお、回復命令メッセージには回復必要なベアラ、Ｑｏｓストリーム、サービスデータストリーム、ＰＤＵセッション、又はＰＤＮ接続の構成情報識別子が含まれてもよく、この場合、端末デバイスは、構成情報識別子に基づいて、第１のアクセスリンクに回復必要なベアラ、Ｑｏｓストリーム、サービスデータストリーム、ＰＤＵセッション又はＰＤＮ接続を把握する。
【００４０】
なお、端末とネットワークデバイスとの間で上記２つの可能な実現方式によりインタラクションが行われた後は、第１のアクセスリンクを新たに回復することができる。
【００４１】
以上の技術案として、実施する時、ネットワークデバイスは、追加で設けるサービスアクセス管理ノードＡＴＳＳＳであってもよいし、第１のアクセスデバイスであってもよい。そして、ネットワークデバイスがサービスアクセス管理ノードである場合、前記端末デバイスが前記ネットワークデバイスとメッセージの送受信を行うことは、
前記サービスアクセス管理ノードとのプロトコルスタックを利用してメッセージの送受信を行い、又は、
前記第１のアクセスデバイスにメッセージを送信した後、前記第１のアクセスデバイスを介して前記サービスアクセス管理ノードに送信し、又は、前記第１のアクセスデバイスにより送信されたメッセージを受信することを含み、ここで、前記メッセージは、前記第１のアクセスデバイスが前記サービスアクセス管理ノードから受信する。
【００４２】
ネットワークデバイスが第１のアクセスデバイスである場合、前記端末デバイスが前記ネットワークデバイスとメッセージの送受信を行うことは、
前記第１のアクセスデバイスとのプロトコルスタックを利用してメッセージの送受信を行うことを含む。
【００４３】
上記の技術案について、Ｓ３０２に記載の切替戻し手順が完了した後、第２のアクセスリンクのパス及びコンテキスト情報を保存してもよく、端末デバイス及びネットワークデバイスが再度切替戻しを必要とする場合、保存された第２のアクセスリンクのパス及びコンテキスト情報に従って第２のアクセスリンクを回復し、具体的な実現手順は上述した通りであり、ここで説明を省略する。
【００４４】
この実施例は、端末が切り替えた後に、元アクセスリンクのパス及びコンテキスト情報を保存し、切替戻しが必要な場合に、元アクセスリンクのパス及びコンテキスト情報に基づいて元アクセスリンクを直接回復することにより、端末デバイスに新たにアクセスリソースを割り当てる必要がなく、アクセスリンクの切替戻しの遅延を低減するアクセスリンクの管理方法を提供する。
【００４５】
実施例二
実施例と同様の思想に基づいて、図４を参照し、本願の実施例は、アクセスリンクの管理方法を提供し、当該方法がネットワークデバイス応用され、ここで、前記ネットワークデバイスが第１のアクセスデバイス又はサービスアクセス管理ノードＡＴＳＳＳであり、前記方法は、Ｓ４０１及びＳ４０２を含み、
Ｓ４０１において、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
Ｓ４０２において、端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復し、ここで、前記端末デバイスにも前記第１のアクセスリンクのパス及び／又は前記第１のアクセスリンクのコンテキスト情報が保持されている。
【００４６】
図４に示す方法によれば、第２のアクセスリンクから第１のアクセスリンクに切り替え戻しが必要な場合、ネットワークデバイス及び端末は、元のアクセスリンク、すなわち、第１のアクセスリンクのパス及びコンテキスト情報を既に保持しているため、第１のアクセスデバイス又はサービスアクセス管理ノードＡＴＳＳＳは、保持された第１のアクセスリンクのパス及び/又はコンテキスト情報に基づいて、端末デバイスと第１のアクセスデバイスとの間の第１のアクセスリンクを回復することができ、第１のアクセスデバイスが端末デバイスにアクセスリソースを新たに割り当てる必要がなく、アクセスリンク切替戻しの遅延が低減されることができる。
【００４７】
図４に示す技術案によって、実現可能な方式において、前記第１のアクセスリンクのパスは、前記端末デバイスと前記第１のアクセスデバイスとの無線リソース制御（ＲＲＣ、Ｒａｄｉｏ Ｒｅｓｏｕｒｃｅ Ｃｏｎｔｒｏｌ）パス、非アクセス層（ＮＡＳ、Ｎｏｎ−ａｃｃｅｓｓ ｓｔｒａｔｕｍ）パス、パケットデータネットワーク（ＰＤＮ、Ｐａｃｋｅｔ Ｄａｔａ Ｎｅｔｗｏｒｋ）パス、プロトコルデータユニット（ＰＤＵ、Ｐｒｏｔｏｃｏｌ Ｄａｔａ Ｕｎｉｔ）セッションパス及び前記端末デバイスとサービスアクセス管理ノードとの接続等を含み、
前記第１のアクセスリンクのコンテキスト情報は、
前記端末デバイスのアクセス層コンテキスト情報、前記端末デバイスの非アクセス層コンテキスト情報、前記第１のアクセスデバイスと前記コアネットワークとの前記端末デバイスに関連する接続情報、及び前記端末デバイスとサービスアクセス管理ノードとの接続のコンテキスト構成情報のうちの少なくとも１つを含む。
【００４８】
上記の実現可能な方式において、具体的に、前記端末デバイスのアクセス層コンテキスト情報は、前記端末のアクセス層のセキュリティ構成情報、前記端末のアクセス層のベアラ構成情報及び前記端末のアクセス層の能力情報等を含み、
前記端末デバイスの非アクセス層コンテキスト情報は、前記端末の非アクセス層のセキュリティ構成情報、前記端末の非アクセス層の移動管理情報、前記端末の非アクセス層の接続状態情報、前記端末の非アクセス層のセッション管理情報、前記端末に割り当てたネットワークプロトコル（ＩＰ、Ｉｎｔｅｒｎｅｔ Ｐｒｏｔｏｃｏｌ）アドレス情報及び前記端末の非アクセス層のサービス品質（Ｑｏｓ、Ｑｕａｌｉｔｙ ｏｆ Ｓｅｒｖｉｃｅ）情報等を含み、
前記第１のアクセスデバイスと前記コアネットワークとの前記端末デバイスに関連する接続情報は、前記端末に割り当てられた伝送ネットワーク層チャネル情報、前記コアネットワークデバイス識別子、及び前記第１のアクセスデバイス識別子を含む。
【００４９】
実際の応用において、アクセスデバイスが多くの端末デバイスにアクセスリンクを提供する必要があるため、端末とアクセスデバイスとは、第１のアクセスリンクのパス及びコンテキスト情報を長時間に保持することができなく、これによって、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することは、具体的に、
第２のタイマーを設定し、予め設定された時間長に従って時間をカウントすることと、
前記第２のタイマーが満了する前に、前記第１のアクセスリンクのパス及び／又は前記第１のアクセスリンクのコンテキスト情報を保持することと、
前記第２のタイマーが満了する場合、前記第１のアクセスリンクのパス及び／又は前記第１のアクセスリンクのコンテキスト情報を解放することとを含む。
【００５０】
これにより、タイマーにより前記第１のアクセスリンクのパス及び/又は前記第１のアクセスリンクのコンテキスト情報の保持時間を計時し、タイムアウト後に解放する。ネットワークデバイスが第１のアクセスリンクのパス及び/又は前記第１のアクセスリンクのコンテキスト情報を記憶するための記憶リソースの利用効率を向上させることができる。
【００５１】
なお、前記予め設定された時間長は、ネットワークデバイスから端末に送信される時間長設定情報に基づいて設定されてもよく、ネットワークデバイスとのインタラクションを利用して端末がネットワーク側に時間長設定に関する提案を行った後に設定されてもよく、この実施例ではこれについての説明を省略する。
【００５２】
図４に記載の技術案として、実現可能な方式において、端末が第２のアクセスリンクに切り替える前に、第１のアクセスリンクの全てのアクセスリソースを占用しない場合、前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であってもよく、
図４に記載の技術案として、実現可能な方式において、端末が第２のアクセスリンクに切り替える前に、第１のアクセスリンクの全てのアクセスリソースを占用する場合、前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報であってもよい。
【００５３】
上記の２つの実現可能な方式に基づいて、前記方法は、さらに、
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別することを含む。
【００５４】
図４に記載の技術案として、実現可能な方式において、Ｓ４０２において端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復することは、具体的に、
端末デバイスが前記第２のアクセスリンクから前記第１のアクセスリンクに切り替えて戻る場合、前記端末デバイスにより送信された回復要求メッセージを受信することと、
前記回復要求メッセージに対する確認メッセージを前記端末デバイスに送信することとを含む。
【００５５】
なお、回復要求メッセージには回復必要なベアラ、Ｑｏｓストリーム、サービスデータストリーム、ＰＤＵセッション、又はＰＤＮ接続の構成情報識別子が含まれてもよく、この場合、ネットワークデバイスは、構成情報識別子に基づいて、第１のアクセスリンクに回復必要なベアラ、Ｑｏｓストリーム、サービスデータストリーム、ＰＤＵセッション又はＰＤＮ接続を把握する
図４に記載の技術案として、他の実現可能な方式において、Ｓ４０２において端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復することは、具体的に、
前記第２のアクセスリンクから前記第１のアクセスリンクに切り替えて戻る場合、前記端末デバイスに回復命令メッセージを送信することと、
前記端末デバイスにより送信された前記回復命令メッセージに対する回復応答メッセージを受信することとを含む。
【００５６】
なお、回復命令メッセージには回復必要なベアラ、Ｑｏｓストリーム、サービスデータストリーム、ＰＤＵセッション、又はＰＤＮ接続の構成情報識別子が含まれてもよく、この場合、端末デバイスは、構成情報識別子に基づいて、第１のアクセスリンクに回復必要なベアラ、Ｑｏｓストリーム、サービスデータストリーム、ＰＤＵセッション又はＰＤＮ接続を把握する。
【００５７】
なお、端末とネットワークデバイスとの間で上記２つの可能な実現方式によりインタラクションが行われた後は、第１のアクセスリンクを新たに回復することができる。
【００５８】
以上の技術案として、具体的な実現方式において、ネットワークデバイスがサービスアクセス管理ノードである場合、前記端末デバイスが前記ネットワークデバイスとメッセージの送受信を行うことは、
前記端末デバイスとのプロトコルスタックを利用してメッセージの送受信を行うこと、又は、
前記第１のアクセスデバイスにより送信されたメッセージを受信し、前記メッセージが前記端末デバイスから前記第１のアクセスデバイスに送信し、又は、前記第１のアクセスデバイスにメッセージを送信し、第１のアクセスデバイスを介して前記メッセージを前記端末デバイスに送信することを含む。
【００５９】
以上の技術案として、他の具体的な実現方式において、ネットワークデバイスが第１のアクセスデバイスである場合、前記端末デバイスが前記ネットワークデバイスとメッセージの送受信を行うことは、
前記端末デバイスとのプロトコルスタックを利用してメッセージの送受信を行うことを含む。
【００６０】
上記の技術案について、Ｓ４０２に記載の切替戻し手順が完了した後、サービスアクセス管理ノード又は第２のアクセスデバイスは、第２のアクセスリンクのパス及びコンテキスト情報を保存してもよく、再度切替戻しを必要とする場合、保存された第２のアクセスリンクのパス及びコンテキスト情報に従って第２のアクセスリンクを回復し、具体的な実現手順は上述した通りであり、ここで説明を省略する。
【００６１】
上記の技術案ついて、前記第１のアクセスリンクのコンテキスト情報は、構成情報のタイプに従って異なるネットワークエンティティに保存されてもよく、具体的には、アクセス層コンテキスト情報は第１のアクセスデバイスに保存され、非アクセス層コンテキスト情報はコアネットワークデバイスに保存され、前記第１のアクセスデバイスと前記コアネットワークとの間の前記端末デバイスに関する接続情報は、前記第１のアクセスデバイス及び前記コアネットワークデバイスに保存され得る。
【００６２】
また、前記第１のアクセスリンクのコンテキスト情報は、全て前記コアネットワークデバイスに保存されてもよい。これにより、第１のアクセスリンクが回復する場合に、アクセス層のコンテキスト情報がコアネットワークからアクセスネットワークデバイスに転送される。
【００６３】
この実施例が提供するアクセスリンクの管理方法によれば、ネットワークデバイスは、端末の切り替える後に、元アクセスリンクのパス及びコンテキスト情報を保存し、切替戻しが必要な場合に、元のアクセスリンクのパス及びコンテキスト情報に基づいて元のアクセスリンクを直接回復することにより、端末デバイスに新たにアクセスリソースを割り当てる必要がなく、アクセスリンクの切替戻しの遅延が低減される。
【００６４】
実施例三
この実施例は、前述した実施例と同様の思想に基づき、前述した実施例の技術的思想を具体例を挙げて説明したものである。この特定の例では、図２に示されるアーキテクチャに基づいて、本願の実施例の技術的解決策について、関心のあるアーキテクチャ部分は図５に示されるように、ＡＴＳＳＳＦｕｎｃｔｉｏｎはサービスアクセス管理ノードを表し、ＵＰ Ｆｕｎｃｔｉｏｎはコアネットワークのユーザプレーンネットワークデバイスを表し、ＴｒｕｓｔｅｄＷＬＡＮは特にＷＩＦＩアクセスポイントであり、非３ＧＰＰアクセスネットワークのアクセスデバイスを表し、ＮｅｘｔＧｅｎＲＡＮは特にｇＮＢであり得、３ＧＰＰアクセスネットワークのアクセスデバイスを表すことが分かる。サービスに対するデータ伝送を行う場合、ＵＥ又はＡＴＳＳＳＦｕｎｃｔｉｏｎは、サービスのスループットを向上させるために、非３ＧＰＰアクセスネットワーク及び３ＧＰＰアクセスネットワークに伝送すべきデータストリームを分離して同時に伝送し、具体的に、ネットワークプロトコルスタックにおいて、データ伝送手順は、図６に示すように、ＵＥにおけるアプリケーションＡＰＰ−１がネットワーク側とデータ伝送を行う必要があり、サービスアクセス管理ノードは、クライアント/サーバＣ / Ｓの形態でＵＥ及びアクセスネットワークとコアネットワークとの間に配置されてもよく、図６を例にとると、ＵＥはＡＴＳＳＳクライアントＣｌｉｅｎｔであり、アクセスネットワークとコアネットワークとの間のＡＴＳＳＳ ＦｕｎｃｔｉｏｎがＡＴＳＳＳサーバＳｅｒｖｅｒであり、ＡＴＳＳＳ ＣｌｉｅｎｔとＡＴＳＳＳ Ｓｅｒｖｅｒとの間に制御接続チャネルＣｏｎｔｒｏｌ Ｃｏｎｎｅｃｔｉｏｎが設けられて、多重接続データ伝送を行うための制御情報を両者間で伝送することができる。
【００６５】
図５のアーキテクチャ及び図６のデータ伝送フローを参照すると、この実施例において、第１のアクセスデバイスはＲＡＮを提供し、第２のアクセスデバイスがＷＬＡＮを提供し、したがって、サービス管理ノード又は第１のアクセスデバイス及び端末デバイスは、端末が第１のアクセスデバイスによって提供される第１のアクセスリンクから第２のアクセスデバイスによって提供される第２のアクセスリンクに切り替えた後、第１のアクセスリンクのパス及び/又は第１のアクセスリンクのコンテキスト情報を保存し、これにより、端末デバイスが第２のアクセスリンクから第１のアクセスリンクに切り替え戻した場合、サービス管理ノード又は第１のアクセスデバイスと端末デバイスとの間は、第１のアクセスリンクのパス及び/又は第１のアクセスリンクのコンテキスト情報に従って、第１のアクセスデバイスとの間の第１のアクセスリンクを回復することができる。特に、サービス管理ノード又は第１のアクセスデバイス及び端末デバイスの実装過程については、前述の実施例を参照し、この実施例ではその説明を省略する。
【００６６】
実施例四
上記実施例と同様の思想に基づいて、図７を参照し、本願の実施例における端末デバイス７０の構成を示し、第１の保持部７０１と第１の回復部７０２を含み、ここで、
前記第１の保持部７０１は、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持するように構成され、
前記第１の回復部７０２は、前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、ここで、前記ネットワークデバイスにも前記第１のアクセスリンクのパス及び／又は前記第１のアクセスリンクのコンテキスト情報が保持されている。
【００６７】
上記の技術案において、前記第１の保持部７０１は、
第１のアクセスデバイスにより提供される第１のアクセスリンクから第２のアクセスデバイスにより提供される第２のアクセスリンクに切り替えた後、第１のタイマーを設定し、予め設定された時間長に従って時間をカウントし、
前記第１のタイマーが満了する前に、前記第１のアクセスリンクのパス及び／又は前記第１のアクセスリンクのコンテキスト情報を保持し、
前記第１のタイマーが満了する場合、前記第１のアクセスリンクのパス及び／又は前記第１のアクセスリンクのコンテキスト情報を解放するように構成される。
【００６８】
上記の技術案において、前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であり、又は、
前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報である。
【００６９】
上記の技術案において、図８を参照し、第１の識別部７０３をさらに含み、
前記第１の識別部７０３は、前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別するように構成される。
【００７０】
上記の技術案において、前記第１の回復部７０２は、
前記第２のアクセスリンクから前記第１のアクセスリンクに切り替えて戻る場合、ネットワークデバイスに回復要求メッセージを送信し、
前記ネットワークデバイスにより送信された前記回復要求メッセージに対する確認メッセージを受信するように構成され、
ここで、前記回復要求メッセージは、回復する必要があるベアラ、Ｑｏｓストリーム、サービスデータストリーム、ＰＤＵセッション、又はＰＤＮ接続の構成情報識別子を含む。
【００７１】
上記の技術案において、前記第１の回復部７０２は、
前記第２のアクセスリンクから前記第１のアクセスリンクに切り替えて戻る場合、ネットワークデバイスにより送信された回復命令メッセージを受信し、
前記回復命令メッセージに対して、前記ネットワークデバイスに回復応答メッセージを送信するように構成され、
ここで、前記回復命令メッセージは、回復する必要があるベアラ、Ｑｏｓストリーム、サービスデータストリーム、ＰＤＵセッション、又はＰＤＮ接続の構成情報識別子を含む。
【００７２】
上記の技術案において、ネットワークデバイスがサービスアクセス管理ノードである場合、前記第１の回復部７０２は、
前記サービスアクセス管理ノードとのプロトコルスタックを利用してメッセージの送受信を行い、又は、
前記第１のアクセスデバイスにメッセージを送信した後、前記第１のアクセスデバイスを介して前記サービスアクセス管理ノードに送信し、又は、前記第１のアクセスデバイスにより送信されたメッセージを受信するように構成され、ここで、前記メッセージは、前記第１のアクセスデバイスが前記サービスアクセス管理ノードから受信する。
【００７３】
上記の技術案において、ネットワークデバイスが第１のアクセスデバイスである場合、前記第１の回復部７０２は、
前記第１のアクセスデバイスとのプロトコルスタックを利用してメッセージの送受信を行うように構成される。
【００７４】
この実施例において、「一部」は、回路の一部、プロセッサの一部、プログラムの一部、またはソフトウェアの一部などであってもよく、もちろん、ユニットであってもよく、モジュールであってもよく、非モジュールであってもよい。
【００７５】
また、本実施の形態における各構成要素は、１つの処理装置に集積されていてもよいし、各構成要素が物理的に別々に存在していてもよいし、２つ以上の構成要素が１つの処理装置に集積されていてもよい。上記統合されたユニットは、ハードウェアの形態で実現されてもよいし、ソフトウェア機能ブロックの形態で実現されてもよい。
【００７６】
統合されたユニットは、ソフトウェア機能モジュールの形態で実現され、独立した製品として販売又は使用されない場合、コンピュータ読み取り可能な記憶媒体に記憶されてもよく、そのような理解に基づいて、本実施例の技術的解決策の本質又は従来技術に寄与する部分、又は技術的解決策の全部又は一部は、１つの記憶媒体に記憶されたソフトウェア製品の形態で具現化されてもよく、コンピュータ装置(パーソナルコンピュータ、サーバ、又はネットワークデバイスなどであってもよい)又はｐｒｏｃｅｓｓｏｒ (プロセッサ)に本実施例に記載の方法のステップの全部又は一部を実行させるための複数の命令を含む。なお、前記記憶媒体としては、Ｕ−ディスク、リムーバブルハードディスク、リードオンリーメモリ( ＲＯＭ、Ｒｅａｄ Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【００７７】
したがって、この実施例は、少なくとも１つのプロセッサによって実行されると、上述の実施例１に記載の方法のステップを実現するアクセスリンクの管理プログラムを記憶するコンピュータ可読媒体を提供する。
【００７８】
図９は、上述した端末デバイス７０の構成及びコンピュータ読み取り可能な記録媒体に基づき、本願の実施例に係る端末デバイス７０の具体的なハードウェア構成を示す図であり、第１のネットワークインタフェース９０１、第１のメモリ９０２及び第１のプロセッサ９０３を備え、各構成要素は、バスシステム９０４を介して接続される。バスシステム９０４は、これらの構成要素間の接続通信を可能にするために使用されることが理解されよう。バスシステム９０４は、データバスの他に、電源バス、制御バス、ステータス信号バスなどを有する。ただし、説明を分かりやすくするために、図９では、各種のバスをバスシステム９０４と表記している。第１のネットワークインタフェース９０１は、他の外部ネットワークとの間で情報を送受信する際に、信号の送受信を行い、
第１のメモリ９０２は、第１のプロセッサ９０３で実行されるコンピュータープログラムを記憶し、
第１のプロセッサ９０３は、前記コンピュータープログラムが実行される場合、
第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成される。
【００７９】
なお、本願の実施例における第１のメモリ９０２は、揮発性メモリであっても不揮発性メモリであってもよく、揮発性メモリと不揮発性メモリの両方を含んでもよいことは言うまでもない。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲＳＤＲＡＭ )、拡張シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲＲＡＭ )など、多くの形態で利用可能である。本明細書に記載されるシステムおよび方法の第１のメモリ９０２は、これらおよび任意の他の適切なタイプのメモリを含むことが意図されるが、これらに限定されない。
【００８０】
第１のプロセッサ９０３は、信号の処理能力を有する集積回路チップであってもよい。実施において、方法のステップは、第１のプロセッサ９０３内のハードウェアの集積論理回路またはソフトウェア形態の命令によって実行され得る。上述の第１のプロセッサ９０３は、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、および論理ブロック図は、実施され得るか、または実行され得る。汎用プロセッサはマイクロプロセッサであってもよく、プロセッサは任意の従来のプロセッサなどであってもよい。本願の実施例に関連して開示された方法のステップは、ハードウェアデコーディングプロセッサ実行として直接具体化され得るか、または、デコーディングプロセッサ内のハードウェアおよびソフトウェアモジュールの組み合わせで実行され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は第１のメモリ９０２に置かれ、第１のプロセッサ９０３は第１のメモリ９０２内の情報を読み出し、そのハードウェアとともに上述した方法のステップを実行する。
【００８１】
本明細書に記載される実施例は、ハードウェア、ソフトウェア、ファームウェア、ミドルウェア、マイクロコード、またはそれらの組み合わせで実装され得ることが理解されよう。ハードウェア実装の場合、処理ユニットは、１つ又は複数の特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔｓ、ＡＳＩＣ )、デジタル信号プロセッサ( Ｄｉｇｉｔａｌ Ｓｉｇｎａｌ Ｐｒｏｃｅｓｓｉｎｇ、ＤＳＰ )、デジタル信号処理デバイス( ＤＳＰ Ｄｅｖｉｃｅ、ＤＳＰＤ )、プログラマブル論理デバイス( Ｐｒｏｇｒａｍｍａｂｌｅ Ｌｏｇｉｃ Ｄｅｖｉｃｅ、ＰＬＤ )、フィールドプログラマブルゲートアレイ( Ｆｉｅｌｄ−Ｐｒｏｇｒａｍｍａｂｌｅ Ｇａｔｅ Ａｒｒａｙ、ＦＰＧＡ )、汎用プロセッサ、コントローラ、マイクロコントローラ、マイクロプロセッサ、本明細書に記載される機能を実行するための他の電子ユニット、又はそれらの組み合わせで実装されてもよい。
【００８２】
ソフトウェア実装の場合、本明細書に説明される技術は、本明細書に説明される機能を実行するモジュール(例えば、プロセス、関数など)によって実装され得る。ソフトウェアコードは、メモリに記憶され、プロセッサによって実行され得る。メモリは、プロセッサ内に実装されてもよく、またはプロセッサの外部に実装されてもよい。
【００８３】
具体的には、端末デバイス７０の第１のプロセッサ９０３は、コンピュータプログラムを実行することにより、前述の実施例１に記載の方法ステップを実行するように更に構成され、ここでその説明が省略される。
【００８４】
実施例五
実施例と同様の思想に基づいて、図１０を参照し、本願の実施例におけるネットワークデバイス１００の構成を示し、第２の保持部１００１と第２の回復部１００２を含み、ここで、
前記第２の保持部は、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持するように構成され、
前記第２の回復部１００２は、前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成され、ここで、前記端末デバイスにも前記第１のアクセスリンクのパス及び／又は前記第１のアクセスリンクのコンテキスト情報が保持されている。
【００８５】
上記の技術案において、ここで、前記第２の保持部は、
第２のタイマーを設定し、予め設定された時間長に従って時間をカウントし、
前記第２のタイマーが満了する前に、前記第１のアクセスリンクのパス及び／又は前記第１のアクセスリンクのコンテキスト情報を保持し、
前記第２のタイマーが満了する場合、前記第１のアクセスリンクのパス及び／又は前記第１のアクセスリンクのコンテキスト情報を解放するように構成される。
【００８６】
上記の技術案において、図１１を参照し、第２の識別部１００３をさらに含み、
第２の識別部１００３は、前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別するように構成される。
【００８７】
上記の技術案において、前記第２の回復部１００２は、
前記端末デバイスが前記第２のアクセスリンクから前記第１のアクセスリンクに切り替えて戻る場合、前記端末デバイスにより送信された回復要求メッセージを受信し、ここで、前記回復要求メッセージは、回復する必要があるベアラ、Ｑｏｓストリーム、サービスデータストリーム、ＰＤＵセッション、又はＰＤＮ接続の構成情報識別子を含み、
前記回復要求メッセージに対する確認メッセージを前記端末デバイスに送信するように構成される。
【００８８】
上記の技術案において、前記第２の回復部１００２は、
前記第２のアクセスリンクから前記第１のアクセスリンクに切り替えて戻る場合、前記端末デバイスに回復命令メッセージを送信し、ここで、前記回復命令メッセージは、回復する必要があるベアラ、Ｑｏｓストリーム、サービスデータストリーム、ＰＤＵセッション、又はＰＤＮ接続の構成情報識別子を含み、
前記端末デバイスにより送信された前記回復命令メッセージに対する回復応答メッセージを受信するように構成される。
【００８９】
上記の技術案において、前記ネットワークデバイスがサービスアクセス管理ノードである場合、前記第２の回復部１００２は、
前記端末デバイスとのプロトコルスタックを利用してメッセージの送受信を行うこと、又は、
前記第１のアクセスデバイスにより送信されたメッセージを受信し、前記メッセージが前記端末デバイスから前記第１のアクセスデバイスに送信し、又は、前記第１のアクセスデバイスにメッセージを送信し、第１のアクセスデバイスを介して前記メッセージを前記端末デバイスに送信するように構成される。
【００９０】
上記の技術案において、前記ネットワークデバイスが第１のアクセスデバイスである場合、前記第２の回復部１００２は、
前記端末デバイスとのプロトコルスタックを利用してメッセージの送受信を行うように構成される。
【００９１】
上記の技術案において、前記第１のアクセスリンクのコンテキスト情報は、構成情報のタイプに応じて異なるネットワークエンティティに保持され、ここで、前記アクセス層コンテキスト情報は第１のアクセスデバイスに保持され、前記非アクセス層コンテキスト情報はコアネットワークデバイスに保持され、前記第１のアクセスデバイスと前記コアネットワークとの前記端末デバイスに関連する接続情報は、前記第１のアクセスデバイス及び前記コアネットワークデバイスに保持される。
【００９２】
上記の技術案において、前記第１のアクセスリンクのコンテキスト情報は、前記コアネットワークデバイスに保持される。
【００９３】
さらに、この実施例は、少なくとも１つのプロセッサによって実行されると、上記実施例２に記載の方法のステップを実現するアクセスリンクのハイパーバイザを記憶する、コンピュータ可読媒体を提供する。コンピュータ可読媒体の具体的な説明については、実施例４の説明を参照し、ここでは詳しい説明を省略する。
【００９４】
上記ネットワークデバイス１００の構成及びコンピュータ読み取り可能な記録媒体に基づき、図１２は、本願の実施例に係るネットワークデバイス１００の具体的なハードウェア構成を示す図であり、第２のネットワークインタフェース１２０１、第２のメモリ１２０２、第２のプロセッサ１２０３を備え、各構成要素は、バスシステム１２０４を介して接続されてもよい。バスシステム１２０４は、これらのコンポーネント間の接続通信を可能にするために使用されることが理解されよう。バスシステム１２０４は、データバスの他に、電源バス、制御バス、ステータス信号バスなどを含む。ただし、説明を分かりやすくするために、図１２では、様々なバスをバスシステム１２０４と表記している。ここで、
ここで、前記第２のネットワークインターフェース１２０１、他の外部ネットワークとの間で情報を送受信する際に、信号の送受信を行い、
第２のメモリ１２０２は、第２プロセッサ１２０３上で実行可能なコンピュータプログラムを記憶し、
第２のプロセッサ１２０３は、前記コンピュータープログラムが実行される場合、
端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成される。
【００９５】
なお、この実施例におけるネットワークデバイス１００の具体的なハードウェア構成は、実施例４と同様であるため、その説明を省略する。
【００９６】
具体的には、ネットワークデバイス１００の第２プロセッサ１２０３は、コンピュータプログラムを実行することにより、前述の実施例２に記載の方法ステップを実行するように更に構成され、ここでその説明が省略される。
【００９７】
実施例六
上記の実施例と同様の思想に基づいて、図１３を参照し、本願の実施例におけるアクセスリンクの管理システム１３０を示し、前記システム１３０は、端末デバイス７０とネットワークデバイス１００を含み、ここで、
前記端末デバイス７０は、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、
前記ネットワークデバイス１００は、端末デバイス７０が第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記端末デバイス７０が前記第２のアクセスリンクから前記第１のアクセスリンクに切り替えて戻る場合、前記第１のアクセスリンクのパス及び／又は前記第１のアクセスリンクのコンテキスト情報に基づいて前記端末デバイス７０との第１のアクセスリンクを回復するように構成される。
【００９８】
具体的には、本実施例における端末デバイス７０は、前述の実施例のいずれかに記載の端末デバイス７０であることが好ましい。ネットワークデバイス１００は、上記実施例のいずれかで説明したネットワークデバイス１００であることが好ましい。
【００９９】
当業者であれば、本願の実施例が方法、システム、またはコンピュータプログラム製品として提供され得ることを理解するであろう。したがって、本願は、ハードウェアの実施例、ソフトウェアの実施例、またはソフトウェアとハードウェアの側面を組み合わせた実施例の形態をとることができる。また、本願は、コンピュータ使用可能プログラムコードを含んだ、限定されないが、磁気ディスク記憶装置及び光学記憶装置等を含む、１つ以上のコンピュータ使用可能記憶媒体上で実施されるコンピュータプログラム製品の形態をとることができる。
【０１００】
本願は、本願の実施例による方法、装置(システム)、およびコンピュータプログラム製品のフローチャートおよび/またはブロック図を参照して説明される。フローチャート及び/又はブロック図の各フロー及び/又はブロック、並びにフローチャート及び/又はブロック図におけるフロー及び/又はブロックの組み合わせは、コンピュータプログラム命令によって実装され得ることが理解される。これらのコンピュータプログラム命令は、汎用コンピュータ、専用コンピュータ、組み込みプロセッサ、又は他のプログラム可能データ処理装置のプロセッサに提供されて、機械を生成し、コンピュータ又は他のプログラム可能データ処理装置のプロセッサによって実行される命令が、フローチャートの１つのフロー若しくは複数のフロー及び/又はブロック図の１つのブロック若しくは複数のブロックにおいて指定される機能を実装するための手段を生成するようにしてもよい。
【０１０１】
これらのコンピュータプログラム命令は、また、コンピュータ又は他のプログラム可能なデータ処理装置に特定の方法で機能するように指示することができるコンピュータ可読メモリに記憶されてもよく、その結果、コンピュータ可読メモリに記憶された命令は、フローチャートの１つ又は複数のフロー及び/又はブロック図の１つ又は複数のブロックにおいて指定された機能を実装する命令手段を含む製品を生成する。
【０１０２】
これらのコンピュータプログラム命令は、コンピュータ又は他のプログラム可能なデータ処理装置にロードされて、コンピュータ又は他のプログラム可能な装置上で一連の動作ステップを実行させて、コンピュータ実装プロセスを生成し、それにより、コンピュータ又は他のプログラム可能な装置上で実行される命令が、フローチャートの１つのフロー若しくは複数のフロー及び/又はブロック図の１つのブロック若しくは複数のブロックにおいて指定される機能を実装するためのステップを提供するようにしてもよい。
【０１０３】
以上の説明は、本願の好適な実施例に過ぎず、本願の範囲を限定するものではない。
【０１０４】
産業上の利用可能性
第２のアクセスリンクから第１のアクセスリンクに切り戻しが必要な場合、端末及びネットワークデバイスの双方が、元のアクセスリンク、すなわち、第１のアクセスリンクのパス及びコンテキスト情報を既に保持しているので、端末と第１のアクセスデバイスとの間は、保持している第１のアクセスリンクのパス及びコンテキスト情報に基づいて第１のアクセスリンクを回復することができ、第１のアクセスデバイスが端末デバイスに新たにアクセスリソースを割り当てる必要がなく、アクセスリンク切り戻しの時間遅延が低減される。
【図１】
2021501488.tif 000003
【図２】
2021501488.tif 000004
【図３】
2021501488.tif 000005
【図４】
2021501488.tif 000006
【図５】
2021501488.tif 000007
【図６】
2021501488.tif 000008
【図７】
2021501488.tif 000009
【図８】
2021501488.tif 000010
【図９】
2021501488.tif 000011
【図１０】
2021501488.tif 000012
【図１１】
2021501488.tif 000013
【図１２】
2021501488.tif 000014
【図１３】
2021501488.tif 000015
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
端末デバイスに応用されるアクセスリンクの管理方法であって、
第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することと、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することとを含み、
前記ネットワークデバイスにも前記第１のアクセスリンクのパス及び／又は前記第１のアクセスリンクのコンテキスト情報が保持されている
ことを特徴とするアクセスリンクの管理方法。
【請求項２】
前記第１のアクセスリンクのパスは、前記端末デバイスと前記第１のアクセスデバイスとの無線リソース制御ＲＲＣパス、非アクセス層ＮＡＳパス、パケットデータネットワークＰＤＮパス、プロトコルデータユニットＰＤＵセッションパス、及び前記端末デバイスとサービスアクセス管理ノードとの接続を含み、
前記第１のアクセスリンクのコンテキスト情報は、
前記端末デバイスのアクセス層コンテキスト情報、前記端末デバイスの非アクセス層コンテキスト情報、前記第１のアクセスデバイスと前記コアネットワークとの前記端末デバイスに関連する接続情報、及び前記端末デバイスとサービスアクセス管理ノードとの接続のコンテキスト構成情報のうちの少なくとも１つを含む
ことを特徴とする請求項１に記載のアクセスリンクの管理方法。
【請求項３】
前記端末デバイスのアクセス層コンテキスト情報は、前記端末デバイスのアクセス層のセキュリティ構成情報、前記端末デバイスのアクセス層のベアラ構成情報、及び前記端末デバイスのアクセス層の能力情報を含み、
前記端末デバイスの非アクセス層コンテキスト情報は、前記端末デバイスの非アクセス層のセキュリティ構成情報、前記端末デバイスの非アクセス層の移動管理情報、前記端末デバイスの非アクセス層の接続状態情報、前記端末デバイスの非アクセス層のセッション管理情報、前記端末デバイスに割り当てられたネットワークプロトコルIPアドレス情報、及び前記端末デバイスの非アクセス層のサービス品質Ｑｏｓ情報を含み、
前記第１のアクセスデバイスと前記コアネットワークとの前記端末デバイスに関連する接続情報は、前記端末デバイスに割り当てられた伝送ネットワーク層チャネル情報、前記コアネットワークデバイス識別子、及び前記第１のアクセスデバイス識別子を含む
ことを特徴とする請求項２に記載のアクセスリンクの管理方法。
【請求項４】
前記第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持することは、
第１のアクセスデバイスにより提供される第１のアクセスリンクから第２のアクセスデバイスにより提供される第２のアクセスリンクに切り替えた後、第１のタイマーを設定し、予め設定された時間長に従って時間をカウントすることと、
前記第１のタイマーが満了する前に、前記第１のアクセスリンクのパス及び／又は前記第１のアクセスリンクのコンテキスト情報を保持していることと、
前記第１のタイマーが満了する場合、前記第１のアクセスリンクのパス及び／又は前記第１のアクセスリンクのコンテキスト情報を解放することとを含む
ことを特徴とする請求項１に記載のアクセスリンクの管理方法。
【請求項５】
前記第１のアクセスリンクのコンテキスト情報は、前記第１のアクセスリンク内の一部のベアラ、一部のＱｏｓストリーム、一部のサービスデータストリーム、一部のＰＤＵセッション、又は一部のＰＤＮ接続の構成情報であり、又は、
前記第１のアクセスリンクのコンテキスト情報は、前記第１のアクセスリンク内の各ベアラ、各Ｑｏｓストリーム、各サービスデータストリーム、各ＰＤＵセッション、又は各ＰＤＮ接続の構成情報である
ことを特徴とする請求項１に記載のアクセスリンクの管理方法。
【請求項６】
前記方法は、さらに、
前記第１のアクセスリンク内の一部のベアラ、一部のＱｏｓストリーム、一部のサービスデータストリーム、一部のＰＤＵセッション、又は一部のＰＤＮ接続の構成情報を識別し、又は、前記第１のアクセスリンク内の各ベアラ、各Ｑｏｓストリーム、各サービスデータストリーム、各ＰＤＵセッション、又は各ＰＤＮ接続の構成情報を識別することを含む
ことを特徴とする請求項５に記載のアクセスリンクの管理方法。
【請求項７】
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することは、
前記第２のアクセスリンクから前記第１のアクセスリンクに切り替えて戻る場合、ネットワークデバイスに回復要求メッセージを送信することと、
前記ネットワークデバイスにより送信された前記回復要求メッセージに対する確認メッセージを受信することとを含み、
前記回復要求メッセージは、回復する必要があるベアラ、Ｑｏｓストリーム、サービスデータストリーム、ＰＤＵセッション、又はＰＤＮ接続の構成情報識別子を含む
ことを特徴とする請求項６に記載のアクセスリンクの管理方法。
【請求項８】
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復することは、
前記第２のアクセスリンクから前記第１のアクセスリンクに切り替えて戻る場合、ネットワークデバイスにより送信された回復命令メッセージを受信することと、
前記回復命令メッセージに対して、前記ネットワークデバイスに回復応答メッセージを送信することとを含み、
前記回復命令メッセージは、回復する必要があるベアラ、Ｑｏｓストリーム、サービスデータストリーム、ＰＤＵセッション、又はＰＤＮ接続の構成情報識別子を含む
ことを特徴とする請求項６に記載のアクセスリンクの管理方法。
【請求項９】
前記ネットワークデバイスは、追加的に設けられたサービスアクセス管理ノードＡＴＳＳＳ、又は、前記第１のアクセスデバイスである
ことを特徴とする請求項１に記載のアクセスリンクの管理方法。
【請求項１０】
ネットワークデバイスがサービスアクセス管理ノードである場合、前記端末デバイスが前記ネットワークデバイスとメッセージの送受信を行うことは、
前記サービスアクセス管理ノードとのプロトコルスタックを利用してメッセージの送受信を行い、又は、
前記第１のアクセスデバイスにメッセージを送信した後、前記第１のアクセスデバイスを介して前記サービスアクセス管理ノードに送信し、又は、前記第１のアクセスデバイスにより送信されたメッセージを受信することを含み、
前記メッセージは、前記第１のアクセスデバイスが前記サービスアクセス管理ノードから受信する
ことを特徴とする請求項９に記載のアクセスリンクの管理方法。
【請求項１１】
ネットワークデバイスが第１のアクセスデバイスである場合、前記端末デバイスが前記ネットワークデバイスとメッセージの送受信を行うことは、
前記第１のアクセスデバイスとのプロトコルスタックを利用してメッセージの送受信を行うことを含む
ことを特徴とする請求項９に記載のアクセスリンクの管理方法。
【請求項１２】
第１のネットワークインターフェース、第１のメモリ及び第１のプロセッサを含む端末デバイスであって、
前記第１のネットワークインターフェースは、他の外部ネットワーク要素とメッセージの送受信において、信号を送受信するように構成され、
前記第１のメモリは、前記第１のプロセッサで実行されるコンピュータープログラムを記憶するように構成され、
前記第１のプロセッサは、前記コンピュータープログラムが実行される場合、請求項１〜１１のいずれか１項に記載の方法のステップを実行するように構成される
ことを特徴とする端末デバイス。
【請求項１３】
第２のネットワークインターフェース、第２のメモリ及び第２のプロセッサを含むネットワークデバイスであって、
前記第２のネットワークインターフェースは、他の外部ネットワーク要素とメッセージの送受信において、信号を送受信するように構成され、
前記第２のメモリは、前記第２のプロセッサで実行されるコンピュータープログラムを記憶するように構成され、
前記第２のプロセッサは、前記コンピュータープログラムが実行される場合、
端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成され、
前記端末デバイスにも前記第１のアクセスリンクのパス及び／又は前記第１のアクセスリンクのコンテキスト情報が保持されていることを特徴とするネットワークデバイス。
【請求項１４】
アクセスリンクの管理プログラムが記憶するコンピューター読み取り可能な媒体であって、
前記アクセスリンクの管理プログラムが少なくとも１つのプロセッサにより実行される場合、請求項１１に記載の方法のステップを実行する
ことを特徴とするコンピューター読み取り可能な媒体。
【請求項１５】
端末デバイスとネットワークデバイスとを含むアクセスリンクの管理システムであって、
前記端末デバイスは、第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記第２のアクセスリンクから前記第１のアクセスリンクに切り替えて戻る場合、前記第１のアクセスリンクのパス及び／又は前記第１のアクセスリンクのコンテキスト情報に基づいて、前記第１のアクセスデバイスとの第１のアクセスリンクを回復するように構成され、
前記ネットワークデバイスは、端末デバイスが第１のアクセスデバイスにより提供される第１のアクセスリンクから第２のアクセスデバイスにより提供される第２のアクセスリンクに切り替えた後、前記第１のアクセスリンクのパス及び／又は前記第１のアクセスリンクのコンテキスト情報を保持し、
前記端末デバイスが前記第２のアクセスリンクから前記第１のアクセスリンクに切り替えて戻る場合、前記第１のアクセスリンクのパス及び／又は前記第１のアクセスリンクのコンテキスト情報に基づいて、前記端末デバイスとの第１のアクセスリンクを回復するように構成される
ことを特徴とするアクセスリンクの管理システム。
【国際調査報告】
2021501488.tif 000016
2021501488.tif 000017
2021501488.tif 000018
2021501488.tif 000019